【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
撮像して得られた撮像画像データを出力する第１出力端子と、当該撮像画像データに基づく画像に合成する対象の補助画像データを出力する第２出力端子と、を有する第１の画像処理装置と、前記第１出力端子に接続された第１入力端子と、前記第２出力端子に接続された第２入力端子と、第１表示装置に接続可能な第３出力端子と、第２表示装置に接続可能な第４出力端子と、を有する第２の画像処理装置とを有し、
前記第２の画像処理装置は、前記第１入力端子を介して入力された前記撮像画像データと、前記第２入力端子を介して入力された前記補助画像データとを合成して、合成画像データを生成する合成手段と、前記合成手段で生成された前記合成画像データを、前記第１及び第２表示装置それぞれの表示解像度に合わせて解像度変換し、前記第３出力端子に出力するための第１解像度の画像データと、前記第４出力端子に出力するための第２解像度の画像データとを生成する変換手段と、
を有することを特徴とする画像処理システム。
【請求項２】
前記変換手段は、
前記合成手段で生成された前記合成画像データを解像度変換し、前記第１解像度の画像データを生成して、前記第３出力端子に出力する第１サブ変換手段と、
前記合成手段で生成された前記合成画像データを解像度変換し、前記第２解像度の画像データを生成して、前記第４出力端子に出力する第２サブ変換手段と、
を有することを特徴とする請求項１に記載の画像処理システム。
【請求項３】
前記第１表示装置は、電子ビューファインダーであり、
前記第２表示装置は、液晶パネルであることを特徴とする請求項１又は２に記載の画像処理システム。
【請求項４】
前記第１の画像処理装置は、
被写体を撮像する撮像手段と、
撮像して得られた画像データの現像処理を並列に行うための現像手段と、
前記現像処理により得られた前記撮像画像データを記憶する第１記憶手段と、
前記補助画像データを描画して生成する描画手段と、
前記描画手段により生成された前記補助画像データを記憶する第２記憶手段と、
前記第１記憶手段に記憶された前記撮像画像データと、前記第２記憶手段に記憶された前記補助画像データとを同期して読み出し、読み出した前記撮像画像データを前記第１出力端子に出力し、読み出した前記補助画像データを前記第２出力端子に出力する出力手段と
を含むことを特徴とする請求項１乃至３のいずれか１項に記載の画像処理システム。
【請求項５】
前記第１の画像処理装置は、
前記第１及び第２表示装置のそれぞれに対して前記補助画像データを合成するか否かについてユーザからの指示入力を受け付ける操作手段と、
前記指示入力に応じた設定情報を前記第２の画像処理装置に供給する第１制御手段とをさらに有し、
前記第２の画像処理装置の前記合成手段は、
前記第１入力端子を介して入力された前記撮像画像データと、前記第２入力端子を介して入力された前記補助画像データとを合成して、第１合成画像データを生成する第１サブ合成手段と、
前記第１入力端子を介して入力された前記撮像画像データと、前記第２入力端子を介して入力された前記補助画像データとを合成して、第２合成画像データを生成する第２サブ合成手段と、を有し、
前記変換手段は、
前記第１サブ合成手段で生成された第１合成画像データを、前記第１表示装置の表示解像度に合わせて解像度変換し、前記第１解像度の画像データを出力する第１サブ変換手段と、
前記第２サブ合成手段で生成された前記第２合成画像データを、前記第２表示装置の表示解像度に合わせて解像度変換し、前記第２解像度の画像データを出力する第２サブ変換手段と、を有し、
前記第２の画像処理装置は、
前記第１制御手段から供給された前記設定情報に基づき、前記第１及び第２サブ合成手段それぞれの合成処理を行うか否かを制御する第２制御手段をさらに有することを特徴とする請求項１に記載の画像処理システム。
【請求項６】
前記第１の画像処理装置は、
被写体を撮像する撮像手段と、
撮像して得られた画像データに含まれている複数の領域のそれぞれの現像処理を並列に行うための複数の現像手段と、
前記複数の現像手段で得た現像後の画像データそれぞれを記憶する複数の記憶手段と、
前記複数の記憶手段に記憶された各領域の現像後の画像データから、１枚の現像後の    前記撮像画像データとして読み出して、前記第１出力端子に出力する出力手段と
を含むことを特徴とする請求項１又は２に記載の画像処理システム。
【請求項７】
前記第２の画像処理装置は、前記第１の画像処理装置とは別の集積回路であることを特徴とする請求項１乃至６のいずれか１項に記載の画像処理システム。
【請求項８】
前記第２の画像処理装置は、ＦＰＧＡ（Field Programmable Gate Array）であることを特徴とする請求項７に記載の画像処理システム。
【請求項９】
前記第１の画像処理装置は、複数の集積回路チップとして撮像装置に実装され、
前記複数の集積回路チップのそれぞれは、１つの現像手段、１つの記憶手段を含む
ことを特徴とする請求項６に記載の画像処理システム。
【請求項１０】
前記第１の画像処理装置及び前記第２の画像処理装置それぞれは、集積回路チップとして実装されることを特徴とする請求項１乃至４のいずれか１項に記載の画像処理システム。
【請求項１１】
画像処理システムであって、
撮像して得られた撮像画像データを出力する第１出力端子と、当該撮像画像データに基づく画像に合成する対象の補助画像データを出力する第２出力端子と、を有する第１の画像処理装置と、前記第１出力端子に接続された第１入力端子と、前記第２出力端子に接続された第２入力端子と、表示装置に接続可能な第３出力端子と、を有する第２の画像処理装置とを有し、
前記第２の画像処理装置は、
前記第１入力端子を介して入力された前記撮像画像データから、撮像をアシストするためのアシスト画像データを生成するアシスト画像生成手段と、前記第１入力端子を介して入力された前記撮像画像データ、前記アシスト画像生成手段により生成された前記アシスト画像データ、及び、前記第２入力端子を介して入力された前記補助画像データを合成して、前記第３出力端子に出力するための合成画像データを生成する合成手段と、
を有することを特徴とする画像処理システム。
【請求項１２】
前記アシスト画像生成手段は、前記撮像画像データからウェーブフォームモニター、又は、ベクトルスコープ用の前記アシスト画像データを生成することを特徴とする請求項１１に記載の画像処理システム。
【請求項１３】
前記第１の画像処理装置及び前記第２の画像処理装置それぞれは、集積回路チップとして実装されることを特徴とする請求項１１又は１２に記載の画像処理システム。
【手続補正２】
【補正対象書類名】明細書
【補正対象項目名】０００６
【補正方法】変更
【補正の内容】
【０００６】
この課題を解決するため、例えば本発明の画像処理システムは以下の構成を備わる。すなわち、
撮像して得られた撮像画像データを出力する第１出力端子と、当該撮像画像データに基づく画像に合成する対象の補助画像データを出力する第２出力端子と、を有する第１の画像処理装置と、前記第１出力端子に接続された第１入力端子と、前記第２出力端子に接続された第２入力端子と、第１表示装置に接続可能な第３出力端子と、第２表示装置に接続可能な第４出力端子と、を有する第２の画像処理装置とを有し、
前記第２の画像処理装置は、前記第１入力端子を介して入力された前記撮像画像データと、前記第２入力端子を介して入力された前記補助画像データとを合成して、合成画像データを生成する合成手段と、前記合成手段で生成された前記合成画像データを、前記第１及び第２表示装置それぞれの表示解像度に合わせて解像度変換し、前記第３出力端子に出力するための第１解像度の画像データと、前記第４出力端子に出力するための第２解像度の画像データとを生成する変換手段とを有する。